(57)【要約】【課題】断線や接触抵抗を発生させず、操作部材を可動可能にしながら、大きなアンテナ面積を確保して通信を安定させることのできるコンパクトな電気錠アンテナを提供する。【解決手段】電気錠アンテナ１００において、扉面１１ａに固定される絶縁基台１５と、絶縁性基台１５に回動自在に支持されて扉面１１ａに突出する導電軸１７と、導電軸１７の先端に固定されて電気的に接続される操作部材１９と、導電軸１７が貫通して絶縁基台１５と操作部材１９の間に配置された複数の平行な絶縁板２１と、絶縁板２１同士の間のそれぞれに配置される複数の金属板２３とを備えた。複数の金属板２３は、最外部の絶縁板２１ａを挟んで操作部材１９の反対側に設置された第１金属板２３ａのみを、導電軸１７に相対回転不能に固定し且つ電気的に接続した。【選択図】      図１
2011006991.tif 000002
【特許請求の範囲】
【請求項１】
扉面に固定される絶縁基台と、
該絶縁基台に回動自在に支持されて扉面に突出する導電軸と、
該導電軸の先端に固定されて電気的に接続される操作部材と、
前記導電軸が貫通して前記絶縁基台と該操作部材の間に配置された複数の平行な絶縁板と、
該絶縁板同士の間のそれぞれに配置される複数の金属板と、
を備え、
前記複数の金属板は、最外部の前記絶縁板を挟んで前記操作部材の反対側に設置された第１金属板のみが前記導電軸に相対回転不能に固定され且つ電気的に接続されたことを特徴とする電気錠アンテナ。
【請求項２】
請求項１記載の電気錠アンテナであって、
前記絶縁板を挟んで前記第１金属板と反対側に配置された第２金属板にプラス電極が形成され、
該第２金属板と前記絶縁基台との間で前記絶縁板を挟んで第２金属板と対向配置された第３金属板にマイナス電極が形成され、
該第３金属板と前記絶縁基台との間で絶縁板を挟んで第４金属板が前記第３金属板に対向配置されたことを特徴とする電気錠アンテナ。
【請求項３】
請求項１又は２記載の電気錠アンテナであって、
前記導電軸が貫通し前記金属板及び前記絶縁板を覆う金属ケースが、前記導電軸及び前記金属板に対し絶縁されて前記絶縁基台に固定されたことを特徴とする電気錠アンテナ。
【請求項４】
請求項１，２，３のいずれか１つに記載の電気錠アンテナであって、
前記導電軸の基端が絶縁部材を介して錠箱内の施解錠機構部に連結され、
前記導電軸による回動操作力の入力にて前記施解錠機構部がラッチボルトを係止解除方向に作動させることを特徴とする電気錠アンテナ。
【請求項５】
請求項１，２，３，４のいずれか１つに記載の電気錠アンテナであって、
前記導電軸の回転を検出するマイクロスイッチが設けられたことを特徴とする電気錠アンテナ。
【請求項６】
請求項１，２，３，４，５のいずれか１つに記載の電気錠アンテナであって、
前記金属板は、各角部が面取りされる略菱形に形成され、中心に前記導電軸が貫通されることを特徴とする電気錠アンテナ。
【請求項７】
扉面に固定される絶縁基台と、
該絶縁基台に支持されて扉面に突出する操作部材と、
前記絶縁基台と該操作部材の間に配置された複数の平行な絶縁板と、
該絶縁板同士の間のそれぞれに配置される複数の金属板と、
を備え、
前記複数の金属板は、最外部の前記絶縁板を挟んで前記操作部材の反対側に設置された第１金属板のみが前記操作部材に固定され且つ電気的に接続されたことを特徴とする電気錠アンテナ。
【請求項８】
扉面に固定される絶縁基台と、
該絶縁基台に支持されて、扉面に突出する表面が絶縁された操作部材と、
前記絶縁基台と操作部材との間に配置された平行な絶縁板と、
該絶縁板の両側に平行に配置される複数の金属板とを備え、
前記複数の金属板は、最外部の前記絶縁板を挟んで前記操作部材の反対側に設置された第１金属板のみが前記操作部材に固定され且つ電気的に接続されたことを特徴とする電気錠アンテナ。
【発明の詳細な説明】
【技術分野】
【０００１】
本発明は、人体通信に用いて好適な電気錠アンテナに関する。
【背景技術】
【０００２】
人体の表面を通じ電気信号を送受する「人体通信」が知られている。人体通信における信号伝送の方式は、電界方式と電流方式に大別され、人体に微弱電流を直接流して通信する後者の電流方式に比べ、電極と人体を接触させる必要のない前者の電界方式が近年注目されている。電界方式は、送信機側の発信によって生じさせた電界の変動に信号を重畳させ、この電界の変化を受信機で検知する。すなわち、人体の近傍に電界を発生させることで誘電体である人体が誘電分極し、人体全体が電界に覆われた状態となる。送受信機と人体は直接触れている必要がなく、例えば送信器としての携帯電話等を衣服のポケットなどに入れておけば電界を発生させることができ、信号の送受が可能となる。
【０００３】
この人体通信を利用したものに、特許文献１に開示される電界通信装置、特許文献２に開示されるドア制御システム、特許文献３に開示される筐体構造などがある。例えば、特許文献２のドア制御システムは、ドアをロックする信号を送信する送信装置の第１の電極と受信装置の第２の電極とを、ドアの一方の側の床とドアの取っ手部分に設置する。この例では送信装置は、利用者に携帯されず、ドアの一方の側の床に設置される。利用者が第１の電極と第２の電極とに触れたときに送信装置と受信装置との間に伝送経路を形成することで、ＩＣカードをかざす煩わしさをなくして、ドアに触れるだけでドアロックを解除することができる。
【先行技術文献】
【特許文献】
【０００４】
【特許文献１】特開２００８−２３６５６０号公報
【特許文献２】特開２００７−１８２７３３号公報
【特許文献３】特開２００９−１７４６６号公報
【発明の概要】
【発明が解決しようとする課題】
【０００５】
しかしながら、従来、実運用の考慮された人体通信用電気錠は存在しなかった。このため以下のような数々の課題があった。すなわち、通常ドアノブは扉（一般的に接地状態にある）と電気的に短絡しており、アンテナとして使用できなかった。ドアノブは回動操作時に可動するため、ケーブル接続とすれば断線の虞が生じた。断線防止として点・面接触、例えば導電ブラシ等の摺接接点による回路形成が考えられるが、接触抵抗が通信に悪影響を与える可能性があった。錠箱内にアンテナ内蔵スペースを新たに確保することは困難であった。ノブ等の操作部材による可動構造を確保した上で、通信を安定させるためのアンテナ面積確保、デザインの両立が必要であった。室内外操作の識別ができなかった。良好な通信性を得るのに多くのアンテナを備えれば大型化し、ノブ等を回動させる可動部も存在するため、特に、既存室内外の双方に後付けすることは極めて困難であった。
【０００６】
本発明は上記状況に鑑みてなされたもので、その目的は、断線や接触抵抗を発生させず、操作部材を可動可能にしながら、大きなアンテナ面積を確保して通信を安定させることのできるコンパクトな電気錠アンテナを提供し、もって、従来型電気錠への付加のみで人体通信用電気錠を容易に実現可能とすることにある。
【課題を解決するための手段】
【０００７】
次に、上記の課題を解決するための手段を、実施の形態に対応する図面を参照して説明する。
本発明の請求項１記載の電気錠アンテナは、扉面１１ａに固定される絶縁基台１５と、
該絶縁基台１５に回動自在に支持されて扉面１１ａに突出する導電軸１７と、
該導電軸１７の先端に固定されて電気的に接続される操作部材１９と、
前記導電軸１７が貫通して前記絶縁基台１５と該操作部材１９の間に配置された複数の平行な絶縁板２１と、
該絶縁板２１同士の間のそれぞれに配置される複数の金属板２３と、
を備え、
前記複数の金属板２３は、最外部の前記絶縁板２１ａを挟んで前記操作部材１９の反対側に設置された第１金属板２３ａのみが前記導電軸１７に相対回転不能に固定され且つ電気的に接続されたことを特徴とする。
【０００８】
この電気錠アンテナでは、操作部材１９が扉１１に対し絶縁され、アンテナとして使用可能となる。コンパクトな構造で、断線や接触抵抗を発生させず、操作部材を可動可能にしながら、大きなアンテナ面積が確保される。
【０００９】
請求項２記載の電気錠アンテナは、請求項１記載の電気錠アンテナであって、
前記絶縁板２１を挟んで前記第１金属板２３ａと反対側に配置された第２金属板２３ｂにプラス電極６１が形成され、
該第２金属板２３ｂと前記絶縁基台１５との間で前記絶縁板２１ｃを挟んで第２金属板２３ｂと対向配置された第３金属板２３ｃにマイナス電極６３が形成され、
該第３金属板２３ｃと前記絶縁基台１５との間で絶縁板２１ｄを挟んで第４金属板２３ｄが前記第３金属板２３ｃに対向配置されたことを特徴とする。
【００１０】
この電気錠アンテナでは、対向する金属板２３により、絶縁板２１によるギャップ分を間隙として電荷（電気エネルギー）を蓄える蓄電器（コンデンサ）が形成され、第１金属板２３ａと第２金属板２３ｂによりアンテナ側のコンデンサ、第３金属板２３ｃと第４金属板２３ｄによりアース側のコンデンサが形成され、特に、人が触れる操作部材１９と電気的に接続されている第１金属板２３ａが絶縁配置構造とされる。
【００１１】
請求項３記載の電気錠アンテナは、請求項１又は２記載の電気錠アンテナであって、
前記導電軸１７が貫通し前記金属板２３及び前記絶縁板２１を覆う金属ケース５１が、前記導電軸１７及び前記金属板２３に対し絶縁されて前記絶縁基台１５に固定されたことを特徴とする。
【００１２】
電気錠アンテナの構造として、ケースがアースされている構造とすると、信号電極とケースの結合が大きいため、受信回路に到達する信号が少なくなり、性能が落ちてしまう不具合が生じるが、この請求項３の電気錠アンテナでは、アースとなる扉に対して絶縁基台１５を介し、且つ導電軸１７や金属板２３とも絶縁されており、すなわち金属ケース５１がアースと分離している構造とされていることから、性能の低下を招くことが無い。
【００１３】
請求項４記載の電気錠アンテナは、請求項１，２，３のいずれか１つに記載の電気錠アンテナであって、
前記導電軸１７の基端が絶縁部材４９を介して錠箱１３内の施解錠機構部に連結され、
前記導電軸１７による回動操作力の入力にて前記施解錠機構部がラッチボルトを係止解除方向に作動させることを特徴とする。
【００１４】
この電気錠アンテナでは、電気錠４１に設けられるデッドボルトの進退による施解錠制御システムとは別途に、ラッチボルトによる扉１１の閉止解除が手動により可能となる。また、絶縁部材４９により、導電軸１７及び操作部材１９と、施解錠機構部側とは電気的に絶縁され、機構的には連動連結となる。
【００１５】
請求項５記載の電気錠アンテナは、請求項１，２，３，４のいずれか１つに記載の電気錠アンテナであって、
前記導電軸１７の回転を検出するマイクロスイッチ７７が設けられたことを特徴とする。
【００１６】
この電気錠アンテナでは、電気錠アンテナ１００が扉１１の表裏側に設けられ、導電軸１７の回転がマイクロスイッチ７７により検出されることで、扉内外における操作部材１９の操作が識別可能となる。
【００１７】
請求項６記載の電気錠アンテナは、請求項１，２，３，４，５のいずれか１つに記載の電気錠アンテナであって、
前記金属板２３は、各角部が面取りされる略菱形に形成され、中心に前記導電軸１７が貫通されることを特徴とする。
【００１８】
この電気錠アンテナでは、金属ケース５１の表面形状が四角形である場合、最大面積で収容可能な金属板形状が同一四角形となり、この四角形の四隅三角部分が切除されて略菱形となることで、第１金属板２３ａが金属ケース５１内において正逆回転可能な大面積に形成される。
【００１９】
請求項７記載の電気錠アンテナは、扉面に固定される絶縁基台１５と、
該絶縁基台１５に支持されて扉面１１ａに突出する操作部材１９と、
前記絶縁基台１５と該操作部材１９の間に配置された複数の平行な絶縁板２１と、
該絶縁板２１同士の間のそれぞれに配置される複数の金属板２３と、
を備え、
前記複数の金属板２３は、最外部の前記絶縁板２１ａを挟んで前記操作部材１９の反対側に設置された第１金属板２３ａのみが前記操作部材１９に固定され且つ電気的に接続されたことを特徴とする。
【００２０】
この電気錠アンテナでは、操作部材１９が絶縁基台１５により扉１１に対し絶縁され、複数の絶縁板２１と金属板２３とでアンテナとして使用可能となる。
【００２１】
請求項８記載の電気錠アンテナは、扉面に固定される絶縁基台１５と、
該絶縁基台１５に支持されて、扉面１１ａに突出する表面が絶縁された操作部材１９と、
前記絶縁基台１５と操作部材１９との間に配置された平行な絶縁板２１と、
該絶縁板２１の両側に平行に配置される複数の金属板２３とを備え、
前記複数の金属板２３は、最外部の前記絶縁板２１ａを挟んで前記操作部材１９の反対側に設置された第１金属板２３ａのみが前記操作部材１９に固定され且つ電気的に接続されたことを特徴とする。
【００２２】
この電気錠アンテナでは、操作部材１９が絶縁基台１５により扉１１に対し絶縁され、複数の絶縁板２１と金属板２３とでアンテナとして使用可能となり、操作部材１９の表面が絶縁された構成とされることで静電気による回路損傷が防止され、また感電事故を防止できる。
【発明の効果】
【００２３】
本発明に係る請求項１記載の電気錠アンテナによれば、操作部材を固定して絶縁基台に回動自在に支持された導電軸に、絶縁板同士の間のそれぞれに金属板を配置して貫通し、絶縁板を挟んで操作部材の反対側に設置された第１金属板のみを導電軸に固定し且つ電気的に接続したので、操作部材を扉に対し絶縁して、アンテナとして使用でき、コンパクトな構造で、断線や接触抵抗を発生させず、操作部材を可動可能にしながら、大きなアンテナ面積を確保して通信を安定させることができる。この結果、従来型電気錠への付加のみで人体通信用電気錠を容易に実現させることができる。
【００２４】
請求項２記載の電気錠アンテナによれば、回路に接続された電極の表面に直接触れた場合に静電気により回路が損傷するおそれや、電極配線とＡＣラインとの混触により電極に高電圧がかかっていた場合に感電するおそれなどの問題を、絶縁板を挟んで第１金属板と反対側の第２金属板にプラス電極を形成し、絶縁板を挟んで第２金属板と対向配置された第３金属板にマイナス電極を形成し、絶縁板を挟んで第４金属板を第３金属板に対向配置した構成として、回路に接続された電極（プラス電極）である第２金属板に対して直接に人が触れる構造とせず、すなわち電極に対して絶縁板を介在した構成として第１金属板に接続された操作部材に触れる構成とされ、すなわち第２金属板と交流結合する第１金属板を補助電極として設けることで、上記問題が解決されることとなる。
【００２５】
請求項３記載の電気錠アンテナによれば、導電軸が貫通し金属板及び絶縁板を覆う金属ケースが、導電軸及び金属板に対し絶縁されて絶縁基台に固定されるので、金属ケースがアースされ信号電極との結合が大きくなることによる受信回路への到達信号の減少などの不具合が起きず、性能低下を招くことが無い。
【００２６】
請求項４記載の電気錠アンテナによれば、導電軸の基端が絶縁部材を介して施解錠機構部に連結され、導電軸による回動操作力の入力にて施解錠機構部がラッチボルトを係止解除方向に作動させるので、電気錠にてデッドボルトを後退解錠させる施解錠とは別途に、ラッチボルトによる扉の閉止が解除可能となる。また、絶縁部材により、導電軸及び操作部材と、施解錠機構部側とは電気的に絶縁され、機構的には連動連結となる。
【００２７】
請求項５記載の電気錠アンテナによれば、導電軸の回転を検出するマイクロスイッチが設けられたので、電気錠アンテナを扉の表裏側に設ければ、操作部材と一体回転する導電軸の回転を検出して室内外操作の識別を可能にできる。
【００２８】
請求項６記載の電気錠アンテナによれば、金属板は、各角部が面取りされる略菱形に形成され、中心に前記導電軸が貫通されるので、限られた金属ケースの表面積の中で可動可能とした第１金属板の面積を大きく確保できる。
【００２９】
請求項７記載の電気錠アンテナによれば、操作部材が絶縁基台により扉に対し絶縁され、複数の絶縁板と金属板とでアンテナとして使用可能となり、また、第１金属板と操作部材とが電気的に接続される構成とされ、回路に対して直接に触れない構成とされる。
【００３０】
請求項８記載の電気錠アンテナによれば、操作部材が絶縁基台により扉に対し絶縁され、複数の絶縁板と金属板とでアンテナとして使用可能となり、操作部材の表面が絶縁された構成とされることで金属板に対して直接に電気的な接触とならず、静電気による回路損傷が防止され、また感電事故を防止できる。
【図面の簡単な説明】
【００３１】
【図１】本発明に係る電気錠アンテナを表裏に備えた扉の要部平断面図である。
【図２】図１の電気錠アンテナが備えられた人体通信システムの概略構成を表す概念図である。
【図３】図１に示した電気錠アンテナの側断面図である。
【図４】電気錠アンテナの分解斜視図である。
【図５】図４の第１金属板を反対側から見た分解斜視図である。
【図６】第１金属板の可動状況を表す正面図である。
【図７】マイクロスイッチの取り付けられた絶縁基台の背面図である。
【図８】本発明に係る電気錠アンテナの他の実施の形態を示す概略側面図である。
【図９】本発明に係る電気錠アンテナの他の実施の形態を示す概略側面図である。
【図１０】本発明に係る電気錠アンテナの他の実施の形態を示す概略正面図である。
【発明を実施するための形態】
【００３２】
以下、本発明の実施の形態を図面を参照して説明する。
図１は本発明に係る電気錠アンテナを表裏に備えた扉の要部平断面図である。
本実施の形態に係る電気錠アンテナ１００は、扉１１の表裏面１１ａ，１１ｂにそれぞれ設けることができる。以下、扉１１の表面（「扉面」と称す。）１１ａに設けられた電気錠アンテナ１００を代表として主に説明する。なお、扉１１の小口側には電気錠の錠箱１３が内蔵され、錠箱１３はデッドボルト（不図示）、ラッチボルト（不図示）を施解錠機構部（不図示）にて進退自在としている。
【００３３】
電気錠アンテナ１００は、絶縁基台１５と、導電軸１７と、操作部材であるレバー１９と、複数の絶縁板２１と、複数の金属板２３と、を主要な構成部材として備える。扉表裏面１１ａ，１１ｂの電気錠アンテナ１００，１００は、例えば表面１１ａ側の電気錠アンテナ１００に、固定ビス２７を介して基端の固定された固定柱２５が扉１１に貫通され、その先端に開口する雌ネジに裏面１１ｂ側の電気錠アンテナ１００に挿通された固定ビス２７が螺合され、扉１１を挟んで取り付けられる。それぞれの電気錠アンテナ１００，１００は、固定柱２５が絶縁基台１５に固定されることで、相互に、また扉１１とは電気的に絶縁されている。
【００３４】
図２は図１の電気錠アンテナが備えられた人体通信システムの概略構成を表す概念図である。
ここで、電気錠アンテナ１００が用いられる人体通信による施解錠制御のシステム例を説明する。利用者は、例えば送信機としての携帯電話機２９をポケット等に入れている。扉１１には電気錠４１及び電気錠アンテナ１００が設けられ、電気錠アンテナ１００は受信機３１および制御装置３３を含む受信装置３５に電線３７にて接続される。また、制御装置３３は電線３９にて電気錠４１に接続される。なお、扉１１は、玄関扉を示し、例えば扉１１をアースとして構成する際には金属製とし、アースとしない場合には導電性の無い木製の扉とされ、同図の右側が屋外側となる。
【００３５】
携帯電話機２９は、電気錠４１を解錠するロック解除信号を電界通信により送信する装置であり、発生器において発生したロック解除信号を、誘起した電界に重畳して送信する。電界伝達媒体である利用者を介して誘起された電界は、電気錠アンテナ１００にて受信され、受信機３１において電気信号に変換され、ロック解除信号として制御装置３３に入力される。ロック解除信号の入力された制御装置３３は、電気錠４１に解錠信号を送出することで、デッドボルトが錠箱１３の施解錠機構部にて後退されて、電気錠４１が解除されることとなる。
【００３６】
このような施解錠制御のシステムにおいて、電気錠アンテナ１００は、携帯電話機２９の発信によって生じさせた電界の変動を検知するアンテナとして作用する。絶縁基台１５は、例えば樹脂からなり、扉１１から電気錠アンテナ１００を絶縁する。導電軸１７は、この絶縁基台１５に軸受部４５を介して回動自在に支持されて、扉面１１ａに垂直に突出する。導電軸１７は、非操作時に水平位置となるようにリリースばね４６（図１参照）にて付勢される。レバー１９は、例えばアルミからなり、この導電軸１７の先端に固定ネジ４７にて抜け止め固定される。つまり、導電軸１７とレバー１９とは電気的に接続されている。
【００３７】
導電軸１７の基端は、絶縁部材４９を介して錠箱１３内の施解錠機構部に連結される。導電軸１７を介して、レバー１９による回動操作力が入力されることで、施解錠機構部がラッチボルトを係止解除方向に作動させる。これにより、電気錠４１に設けられるデッドボルトの進退による施解錠制御システムとは別途に、ラッチボルトによる扉１１の閉止解除が手動により可能となる。また、この絶縁部材４９により、導電軸１７及び操作部材１９と、施解錠機構部側とは電気的に絶縁となり、機構的には連動連結となる。
【００３８】
図３は図１に示した電気錠アンテナの側断面図である。
絶縁板２１は、レバー１９側から複数枚（５枚）の絶縁板２１ａ，２１ｂ，２１ｃ，２１ｄ，２１ｅが平行に扉面に沿って配置される。絶縁板２１及び絶縁基台１５は、ポリアセタール樹脂よりなる。強度を備え、弾性を有し、耐熱性、耐寒性を備える。絶縁板２１ａ，２１ｂ，２１ｃ，２１ｄ，２１ｅは、導電軸１７が貫通して、レバー１９と絶縁基台１５の間に配置される。絶縁板２１ａ，２１ｂ，２１ｃ，２１ｄ，２１ｅ同士の間のそれぞれには金属板２３ａ，２３ｂ，２３ｃ，２３ｄが配置される。複数の金属板２３ａ，２３ｂ，２３ｃ，２３ｄは、最外部の絶縁板２１ａを挟んでレバー１９の反対側に設置された第１金属板２３ａのみが導電軸１７に相対回転不能に固定され且つ電気的に接続されている。
【００３９】
絶縁基台１５には金属ケース５１が取り付けられる。金属ケース５１は、導電軸１７が貫通し、金属板２３及び絶縁板２１を覆う。金属板２３は、導電軸１７及び金属板２３に対し絶縁されて絶縁基台１５に固定される。具体的には、上部の係止爪を絶縁基台１５の係止部に係止し、下面がネジ５３にて絶縁基台１５に螺着される。電気錠アンテナの構造として、エスカチオンとなる外装ケースがアースされている構造とすると、信号電極とケースの結合が大きくなり、受信回路に到達する信号が少なくなってしまい、性能が落ちてしまう不具合が生じるが、本実施の形態の電気錠アンテナでは、扉１１をアースとした場合にこの扉１１に対して絶縁基台１５を介し、且つ導電軸１７や金属板２３とも絶縁された構造としており、すなわち金属ケース５１はアースと分離している構造とされていることから、受信回路としての性能の低下を招くことが無い。なお、図中、５５は手動施錠機構を付加する場合のシリンダ錠、５７は動作確認用のＬＥＤ、５９は絶縁カラーを示す。また、７７は後述のマイクロスイッチを示す。
【００４０】
図４は電気錠アンテナの分解斜視図である。
絶縁板２１ｂを挟んで第１金属板２３ａと反対側に配置された第２金属板２３ｂには一対のプラス電極６１，６１が形成される。第２金属板２３ｂと絶縁基台１５との間で樹脂板２１ｃを挟んで第２金属板２３ｂと対向配置された第３金属板２３ｃには一対のマイナス電極６３，６３が形成される。第３金属板２３ｃと絶縁基台１５との間で樹脂板２１ｄを挟んで第４金属板２３ｄが第３金属板２３ｃに対向配置されている。つまり、電気錠アンテナ１００は、扉１１と絶縁し、また断線および接触抵抗を発生させないため、交流信号の特性を利用して金属板２３の４層構造でコンデンサを形成している。
【００４１】
絶縁板２１ａ，２１ｂ，２１ｃ，２１ｄ，２１ｅには、導電軸１７を間隙を有して挿通させるための遊嵌穴６５が形成される。同様に、金属板２３ｂ，２３ｃ，２３ｄには、導電軸１７を間隙を有して挿通させるための遊嵌穴６７が形成される。一方、第１金属板２３ａには、導電軸１７を相対回転不能に挿通する角穴６９の形成された軸受７１が一体に形成される。なお、図中、７３は絶縁板２１ａ，２１ｂ，２１ｃ，２１ｄ，２１ｅを絶縁基台１５に固定する固定ネジを示す。
【００４２】
図５は図４の第１金属板を反対側から見た分解斜視図である。本図は、絶縁板２１ｂ，２１ｃ，２１ｄ，２１ｅを省略している。
金属板２３ｄ，２３ｃ，２３ｂを貫通した導電軸１７は、第１金属板２３ａの軸受７１に相対回転不能に挿通された後、レバー１９の固定穴１９ａに挿入される。絶縁板２１ａの背面には、導電軸１７と共に回転する第１金属板２３ａを回転可能に収容する凹部７５が形成されている。なお、図中、７６は図１に示した固定ビス２７を締結する際に使用される穴、７８は軸受７１と電気的に接続するレバー１９の接触面を示す。
【００４３】
図６は第１金属板の可動状況を表す正面図である。
金属板２３ａ，２３ｂ，２３ｃ，２３ｄは、各角部が面取りされる略菱形、或いは木の葉形状に形成され、中心に導電軸１７が貫通される。金属ケース５１の表面形状が本実施の形態のように、縦長な四角形である場合、最大面積で収容可能な金属板２３ａ，２３ｂ，２３ｃ，２３ｄの形状は同一四角形となる。金属板２３ａ，２３ｂ，２３ｃ，２３ｄは、この四角形の四隅三角部分が切除されて縦長な略菱形となる。これにより、第１金属板２３ａが金属ケース５１内において正逆回転可能な大面積に形成される。つまり、限られた金属ケース５１の表面積の中で、可動可能とした第１金属板２３ａの面積を大きく確保できる。なお、図中、実線で表した第１金属板２３ａの位置はレバー１９の回転操作後、二点鎖線で表した第１金属板２３ａの位置は送受信時を示す。
【００４４】
図７はマイクロスイッチの取り付けられた絶縁基台の背面図である。
絶縁基台１５の背面にはマイクロスイッチ７７が設けられ、マイクロスイッチ７７は導電軸１７に対向する面に検出片７９を有する。絶縁基台１５から錠箱１３側に突出した導電軸１７の外周には検出カム板８１が固定され、検出カム板８１の外周には凹部８３が形成される。凹部８３には付勢ばね８５によって付勢される押下ピン８７が当接され、押下ピン８７は導電軸１７が回動されると、検出カム板８１によって押下され、検出片７９を作動させる。
【００４５】
マイクロスイッチ７７の端子は、制御装置３３に接続される。マイクロスイッチ７７が設けられることで、導電軸１７の回転が検出されることになり、扉内外におけるレバー１９の操作が識別可能となる。なお、図中、８９はスピーカ、９１はマイクロスイッチ７７の端子と制御装置３３を接続するリード線を示す。
【００４６】
次に、上記構成を有する電気錠アンテナ１００の作用を説明する。
利用者が携帯電話機２９をポケットに入れた状態で、レバー１９に触れると、電界伝達媒体である利用者を介して誘起された電界は、電気錠アンテナ１００にて受信される。電界は、利用者がレバー１９に触れた瞬間、すなわち、レバー１９の操作される前（レバー１９の回転操作前）に受信機３１において、利用者の持つ携帯電話機２９のＩＤを判別し、電気信号に変換され、ＩＤが正しければロック解除信号として制御装置３３に入力される。
【００４７】
ロック解除信号が制御装置３３に入力された後には、レバー１９を介して導電軸１７及び第１金属板２３ａが回転される。この際、第１金属板２３ａが他の金属板２３ｂ，２３ｃ，２３ｄに対して変位するが、既にロック解除信号を生成しているので、静電容量の変化は問題とならない。以下、上述したように、ロック解除信号の入力された制御装置３３は、電気錠４１に解錠信号を送出し、デッドボルトが錠箱１３の施解錠機構部にて後退されて、電気錠４１が解除される。扉１１は、利用者のレバー操作によりラッチボルトが後退することで開扉される。
【００４８】
このように、電気錠アンテナ１００では、レバー１９が扉１１に対し絶縁され、アンテナとして使用可能となる。コンパクトな構造で、断線や接触抵抗を発生させず、レバー１９を可動可能にしながら、大きなアンテナ面積が確保される。
【００４９】
したがって、上記構成を有する電気錠アンテナ１００によれば、レバー１９を固定して絶縁基台１５に回動自在に支持された導電軸１７に、絶縁板２１同士の間のそれぞれに金属板２３を配置して貫通し、絶縁板２１を挟んでレバー１９の反対側に設置された第１金属板２３ａのみを導電軸１７に固定し且つ電気的に接続したので、レバー１９を扉１１に対し絶縁して、アンテナとして使用でき、コンパクトな構造で、断線や接触抵抗を発生させず、レバー１９を可動可能にしながら、ケース５１内にて大きなアンテナ面積を確保して通信を安定させることができる。この結果、従来型電気錠４１への付加のみで人体通信用電気錠を容易に実現させることができる。
【００５０】
また、レバー１９と共に回転する第１金属板２３ａは、ケーブル接続や、点・面接触によらず、回路接続できるので、接触抵抗が通信に悪影響を与えることがない。さらに、薄厚のアルミ板を積層配置してコンデンサを形成するので、レバー１９による可動構造を確保した上で、通信を安定させるためのアンテナ面積の確保、デザインの両立が可能となる。
【００５１】
なお、上記の実施の形態の他に、図８に示すように、金属板２３に対して直接に電気的な接触とならないように、操作部材であるレバー１９の表面に絶縁体２２を被覆する構成としても良い。例えば、レバー１９を樹脂素材にて被覆コーティングすることができ、このような構成とすることで、レバー１９を持つ（握る）際の感触を、冷たく硬質なものから柔らかな感触で構成することができる。また、この図８に示すように、ケース５１内の構成として、金属板２３を２枚で構成して、扉１１をアースとして構成しても良い。すなわち、金属板２３を２枚として構成する場合に、送受信回路からのプラス電極に接続される最外部の第１金属板２３ａとはレバー１９が電気的接続となることから、金属製のレバー１９の表面と絶縁するために絶縁体２２で覆うこととする。
【００５２】
また、図９に示すように、扉１１をアースとして構成してもよい。この場合、上記実施の形態におけるマイナス電極６３を具備する第３金属板２３ｃと絶縁板２１ｄを介して配設されるアース側の第４の金属板２３ｄを省略して構成することができる。
【００５３】
さらに、上記の実施の形態では、操作部材がレバー１９である場合を例に説明したが、操作部材はこの他、ノブ、図１０に示すようなプッシュプル錠の縦長バー、短冊板等であってもよい。なお、図１０に示すような縦長バーのような構成の場合には、絶縁板２１と金属板２３とを扉面１１ａの内側に配置して面積を大きく設定することが可能となる。このような構成においても、上述と同様に、縦長バー１９の素材を金属製素材としても良く、表面に樹脂などの絶縁体を被覆コーティングすることとしてもよい。
【００５４】
また、扉１１をアースとして構成する際には、導電性を有する例えば金属製扉とするが、木質素材などの導電性を有さない材質としアースを構成しない場合には、上記実施の形態における構成の第４金属板２３ｄにアース電極を設け、ケース外へ配線することとする。
【符号の説明】
【００５５】
１１ａ…扉面
１３…錠箱
１５…絶縁基台
１７…導電軸
１９…操作部材（レバー）
２１…絶縁板
２１ａ…最外部の絶縁板
２３…金属板
２３ａ…第１金属板
２３ｂ…第２金属板
２３ｃ…第３金属板
２３ｄ…第４金属板
４１…電気錠
４９…絶縁部材
５１…金属ケース
６１…アンテナ端子
６３…アース端子
７７…マイクロスイッチ
１００…電気錠アンテナ
【図１】
2011006991.tif 000003
【図２】
2011006991.tif 000004
【図３】
2011006991.tif 000005
【図４】
2011006991.tif 000006
【図５】
2011006991.tif 000007
【図６】
2011006991.tif 000008
【図７】
2011006991.tif 000009
【図８】
2011006991.tif 000010
【図９】
2011006991.tif 000011
【図１０】
2011006991.tif 000012